(57)【要約】【課題】操作部による操作を体感者の体や頭を移動させることなく行えるようにし、操作部によって椅子にもたれた状態に適したスピーカーや振動部材の調節を行うことができるＡＶ機器鑑賞用椅子を提供する。【解決手段】人が着座するための座部２及び座部２に着座した人の肘を掛けるための肘掛け部３とを有する椅子本体１を備える。該椅子本体１にＡＶ機器から送られてくる信号を出力するスピーカーもしくＡＶ機器から送られてくる信号を機械的振動に変換し椅子本体１に着座した人の体を振動させる振動部材のうち少なくともいずれか一方を設ける。前記肘掛け部３の後端部上面に肘当て面１９を形成し、且つ肘掛け部３の肘当て面１９に肘を当てて着座した人の手指部と対応する箇所にスピーカーや振動部材を操作するための操作部４を設ける。【選択図】　　　　図１
2004016515.tif 000002
【特許請求の範囲】
【請求項１】
人が着座するための座部及び座部に着座した人の肘を掛けるための肘掛け部とを有する椅子本体を備え、該椅子本体にＡＶ機器から送られてくる信号を出力するスピーカーもしくＡＶ機器から送られてくる信号を機械的振動に変換し椅子本体に着座した人の体を振動させる振動部材のうち少なくともいずれか一方を設けたＡＶ機器鑑賞用椅子において、前記肘掛け部の後端部上面に肘を当てるための肘当て面を形成し、且つ肘掛け部の肘当て面に肘を当てて着座した人の手指部と対応する箇所にスピーカーや振動部材を操作するための操作部を設けて成ることを特徴とするＡＶ機器鑑賞用椅子。
【請求項２】
上記操作部を肘掛け部に対して着脱自在に取付けて成ることを特徴とする請求項１記載のＡＶ機器鑑賞用椅子。
【請求項３】
上記操作部の肘掛け部に対する取付け角度が可変となるように設定して成ることを特徴とする請求項１又は２記載のＡＶ機器鑑賞用椅子。
【発明の詳細な説明】
【０００１】
【発明の属する技術分野】
本発明は、ＡＶ機器から送られてくる信号を出力するスピーカーもしくこの信号に基づいて着座した人の体を振動させる振動部材のうち少なくともいずれか一方を備えたＡＶ機器鑑賞用椅子に関するものである。
【０００２】
【従来の技術】
従来から、人が着座するための椅子本体を備え、該椅子本体にＣＤプレイヤーやテレビジョン、パーソナルコンピュータ等のＡＶ機器から送られてくる音を出力するスピーカーと、ＡＶ機器から送られてくる音に基づいて着座した人の体を振動させる振動部材を設けたＡＶ機器鑑賞用椅子が知られている。上記ＡＶ機器鑑賞用椅子には着座した際に肘を掛けるための肘掛け部が設けられており、該肘掛け部にはスピーカーと振動部材との操作を行うための操作部が設けられている。
【０００３】
上記により、体感者は肘掛け部に肘を掛けたリラックスした状態で着座することができ、またこの着座した状態において操作部を操作することで、ＡＶ機器から出力された信号を椅子本体に設けたスピーカーで聞いたり、振動部材により音に同調した臨場感のある振動を体感したりしていた。
【０００４】
しかしながら、上記のＡＶ機器鑑賞用椅子の操作部は、肘掛け部に肘を掛けた状態で着座した体感者の手よりもかなり前方に位置する箇所に配設されているため、体感者が操作部を操作する場合は、体感者の頭や体を前方に移動させて肘を動かす必要があり、非常に面倒であった。また、このように体感者が操作時に頭や体を動かした場合、操作時の着座状態と、操作後の椅子にもたれた着座状態とが異なってしまうため、操作部でスピーカーの音量や、振動部材の振動強さ等を操作したとしても操作後の椅子にもたれた状態に適した調節を行うことができなかった。
【０００５】
【発明が解決しようとする課題】
本発明は上記の点に鑑みてなされたものであり、その目的とするところは、操作部による操作を体感者の体や頭を移動させることなく行えるようにし、操作部によって椅子にもたれた状態に適したスピーカーや振動部材の調節を行うことができるＡＶ機器鑑賞用椅子を提供することを課題とするものである。
【０００６】
【課題を解決するための手段】
人が着座するための座部２及び座部２に着座した人の肘を掛けるための肘掛け部３とを有する椅子本体１を備え、該椅子本体１にＡＶ機器から送られてくる信号を出力するスピーカーもしくＡＶ機器から送られてくる信号を機械的振動に変換し椅子本体１に着座した人の体を振動させる振動部材のうち少なくともいずれか一方を設けたＡＶ機器鑑賞用椅子において、前記肘掛け部３の後端部上面に肘を当てるための肘当て面１９を形成し、且つ肘掛け部３の肘当て面１９に肘を当てて着座した人の手指部と対応する箇所にスピーカーや振動部材を操作するための操作部４を設けて成ることを特徴とするものである。　このような構成とすることで、操作部４を操作する際に体感者の肘を動かして操作部４を操作する必要がなくなり、これによって頭や体を移動させることがなくなる。また、操作部４操作時の体感者と着座した体感者の位置を同じにすることができるため、スピーカーや振動部材を操作後の椅子本体１にもたれた状態に適した設定に正確に調節することができる。
【０００７】
また請求項２記載のＡＶ機器鑑賞用椅子は請求項１記載のＡＶ機器鑑賞用椅子において、上記操作部４を肘掛け部３に対して着脱自在に取付けて成ることを特徴とするものである。
【０００８】
このような構成とすることで、操作部４を操作する際に使用者の手元に持ってくることができ、これによって操作部４が視認し易くなって操作が容易になり、またより一層体や頭を動かすことなく操作部４を操作することができる。
【０００９】
また請求項３記載のＡＶ機器鑑賞用椅子は請求項１又は２記載のＡＶ機器鑑賞用椅子において、上記操作部４の肘掛け部３に対する取付け角度イが可変となるように設定して成ることを特徴とするものである。
【００１０】
このように操作部４の取付け角度イを可変とすることで、操作部４を体感者が手に持つことなく使用することができ便利であり、また体感者の体格や着座姿勢に合わせて最も操作し易く且つ最も見易い角度で操作部４を取付けることができ、これによってより一層体や頭を動かすことなく操作部４を操作することができる。
【００１１】
【発明の実施の形態】
以下、本発明を添付図面に示す実施形態に基づいて説明する。本実施形態におけるＡＶ機器鑑賞用椅子は外部のＣＤプレイヤーやテレビジョン、パーソナルコンピュータのようなＡＶ機器（図示せず）に電気的に接続して使用されるものであり、図１に示すような外観を有している。なお、ＡＶ機器はＡＶ機器鑑賞用椅子に設けてあっても良いものとする。また、以下に示す実施形態においては、スピーカーと振動部材との両方を設けた例を示したが、これに限定されるものではなく、例えばスピーカーだけを設けたＡＶ機器鑑賞用椅子であっても良いし、また振動部材だけを設けたＡＶ機器鑑賞用椅子であっても良いものとする。以下具体的構成について説明する。
【００１２】
ＡＶ機器鑑賞用椅子は主体を図１に示すような椅子本体１で構成している。椅子本体１には図示は省略するが、ＡＶ機器に電気的に接続されると共にＡＶ機器から送られてきた音を制御するための音制御装置が設けられている。また音制御装置は、ＡＶ機器と椅子本体１との間に電気的に介在し、該音制御装置に設けられた入力端子や接続コード（図示せず）を介して椅子本体１の振動部材に電気的に接続されている。
【００１３】
椅子本体１は、床面に載置されるベース部５を有しており、ベース部５には人（以下体感者と称す）が着座するための座部２と、背中を支持するための背もたれ部６と、肘を掛けるための肘掛け部３と、頭部をもたれさせるための枕部７とが一体に設けられている。
【００１４】
背もたれ部６は上方に行く程後方に位置するように後傾しており、体感者がリラックスした状態で着座できるように形成されている。背もたれ部６の上方には枕部７が設けられており、枕部７は幅方向における中央部が後方に位置するように湾曲している。枕部７の両端部にはスピーカー（図示せず）を備えたスピーカー部８が形成されている。スピーカーは図示しない増幅器などを介して後述する音制御装置に電気的に接続されており、また椅子本体１に着座した体感者の耳を向くように配設されており、これにより、椅子本体１に着座した体感者はスピーカーから出力される臨場感のある音を体感することができる。
【００１５】
背もたれ部６の下部両端部には背もたれ部６から前方に突出するように配設された体感者が肘をかけるための肘掛け部３、３が設けられている。各肘掛け部３の後端部上面は体感者が肘を当てるための肘当て面１９となっており、また体感者が肘当て面１９に肘を当てた際に略前腕に対応する箇所は前腕を当てるための前腕当て面２０となっており、また上記肘当て面１９に肘を当てた際に手指部分に対応する箇所は手指当て面２１となっている。また、両肘掛け部３、３上面は前方に行く程下方に位置するように傾斜しており、また肘掛け部３の先端は前後方向における座部２の先端と略重なる箇所にまで伸びている。
【００１６】
また、座部２及び背もたれ部６には夫々体感者の膝の裏側部分と腰部とを振動させるための振動部材が設けられている。振動部材は音制御装置から送られてくる音響信号を機械的振動に変換するものであり、すなわちＡＶ機器から送られてくる信号（電気信号）を機械的振動に変換するトランスデューサーを搭載したものである。
【００１７】
上記構成によりＡＶ機器から送られてきた信号は、音制御装置を介して、一部は増幅器等を通りスピーカーから出力される。また、一部は図示しないローパスフィルタによってＡＶ機器から送られてきた音の高域をカットして音源信号となり、該音源信号は増幅器によって増幅されて振動用音響信号となり、振動部材で機械的振動に変換して体感者の腰部や膝の裏側部分を振動させる。これにより、ＡＶ機器から出力される音に同調した振動を椅子本体１に着座した体感者に伝えることができ、振動部材による臨場感のある振動と、スピーカーからの出力された音とを体感することが可能となる。
【００１８】
また、一方の肘掛け部３ａ（体感者が右肘をかけるための肘掛け部３）には音制御装置にコード９を介して接続され、音制御装置を操作する、すなわちスピーカーの音量や切換え等の調節を行うスピーカーの操作や、振動の強さや入り切り等の調節を行う振動部材の操作を行うＡＶ機器鑑賞用椅子を操作する平面視楕円形を有する板状の操作部４が設けられており、該操作部４は操作部４を肘掛け部３に肘を掛けて（肘当て面１９に肘を当てて）着座した体感者の略手指に対応した個所（手指当て面２１）に位置するように配設されている。
【００１９】
詳述すると、肘掛け部３ａ上面の前端部の肘掛け部３に肘を掛けて着座した体感者の略手指が位置する箇所、すなわち手指当て面２１に図２に示すような操作部用トレイ１０をねじのような固着手段１１によって固着しており、該操作部用トレイ１０の上面には操作部４を上方より嵌め込み自在に収納できる平面視において操作部４と略同一形状（楕円形）を有する収納溝１２が形成されている。上記操作部用トレイ１０の収納溝１２に操作部４を嵌め込んで収納することで、操作部４は前述したように肘掛け部３に肘を掛けて着座した人の手指近傍に位置するように配設され、また該操作部４は肘掛け部３に対して着脱自在に取付けられることとなる。
【００２０】
このように操作部４を配設することで、操作部４を操作する際に体感者の肘を動かして操作部４を操作する必要がなくなり、これによって体感者は頭や体を移動させることがなくなり、操作部４操作時においてもリラックスした着座状態を維持することができる。また、操作部４操作時の体感者と着座した体感者の位置を同じにすることができるため、スピーカーや振動部材を操作部４操作後の椅子本体１にもたれた体感者に適した設定に正確に調節することができる。
【００２１】
また、上記のように操作部４を肘掛け部３に対して着脱自在に取付けたことで、操作部４を操作する際に使用者の手元に持ってくることができ、これによって操作部４が視認し易くなって操作が容易になり、またより一層体や頭を動かすことなく操作部４を操作することができる。
【００２２】
次に上記実施形態とは異なる図３〜５に実施形態を示す。本実施形態においては、操作部４の肘掛け部に対する取付け角度イが可変となるように設定する点に特徴があり、上記実施形態と同一の構成については同一の番号を付与してあり、重複する説明については説明を省略する。
【００２３】
本実施形態における操作部用トレイ１０は図３に示すように上面に収納溝１２を設けた略直方体形状を有するトレイ本体１３と、トレイ本体１３の上端部外側面に周設された鍔部１４とからなり、このトレイ本体１３の後端の下端部には外側方に伸びる軸１５が設けられている。収納溝１２には上記実施形態と同様に着脱自在に操作部４が収納されている。またトレイ本体１３下面の前後方向中央部における両側端部には図４に示すようにコ字状に形成されたついたて片１６の両端部が前後方向に回動自在となるように連結されている。　肘掛け部３には図５に示すように操作部用トレイ１０を収納するための平面視略長方形状のトレイ受け溝１７がその長手方向が肘掛け部３の前後方向と一致するように形成されており、その底上面の幅方向中央における前部には側面視三角形状の三角片１８が前後方向に複数（３つ）並べて配設されている。またトレイ受け溝１７の両側面の前部には前述した操作部用トレイ１０に設けられた軸１５の両端部が連結され、これにより操作部用トレイ１０はトレイ受け溝１７に対して前後方向（矢印イ）に回動自在となっている。
【００２４】
操作部４の肘掛け部３に対する取付け角度イを変更する場合について説明する。まず操作部４上面が体感者に見える状態（図３中の破線の状態）に取付け角度イを変更する場合は、図３の実線の状態にある操作部用トレイ１０を軸１５を中心に前端部が上方に位置するように回動させることで行われる。この際、ついたて片１６の先端は三角片１８を乗り越える毎に三角片１８後面の下端部に当たり、操作部用トレイ１０をより起立させた状態で支持できるようになる。これによって操作部用トレイ１０はついたて片１６と操作部用トレイ１０の下面後部との間に為す角度αを段階的に小さくすることができ、すなわち操作部用トレイ１０の取付け角度イを段階的に変更することが可能となる。また、取付け角度イを図中破線の状態から実線の状態に戻す場合は、体感者がついたて部１６を角度αが１８０度となるように手で引き上げて、ついたて部１６を持ったまま操作部用トレイ１０をトレイ受け溝１７に載置することで行われる（図中実線の状態）。上記のように操作することで、操作部用トレイ１０に収納された操作部４の取付け角度イは変更することができる。
【００２５】
このように操作部４の取付け角度イを可変とすることで、体感者の体格や着座姿勢に合わせて最も操作し易く且つ最も見易い角度で操作部４を取付けることができ、これによってより一層体や頭を動かすことなく操作部４を操作することができ、また操作部４を体感者が手に持つことなく使用することができ便利である。また椅子本体１の背もたれ部６を座部２やベース部５に対して角度を変更できるようにしたＡＶ機器鑑賞用椅子、すなわち背もたれ部６がリクライニングするように設定した椅子本体１を有するＡＶ機器鑑賞用椅子において、上記のように操作部４の取付け角度イを可変となるように設定することがさらに好ましく、このようにすることで、体感者に合わせて背もたれ部６の角度を変更でき、尚且つこの変更した背もたれ部６の倒す角度に対応して操作部４の取付け角度イを変更することができ、便利である。
【００２６】
【発明の効果】
上記のように本発明の請求項１記載の発明にあっては、操作部を操作する際に体感者の肘を動かして操作部を操作する必要がなくなり、これによって体感者は頭や体を移動させることがなくなり、操作部操作時においてもリラックスした着座状態を維持することができる。また、操作部操作時の体感者と着座した体感者の位置を同じにすることができるため、スピーカーや振動部材を操作後の椅子本体にもたれた状態に適した設定に正確に調節することができる。
【００２７】
また請求項２記載の発明にあっては、上記請求項１記載の発明の効果に加えて、操作部を操作する際に使用者の手元に持ってくることができ、これによって操作部が視認し易くなって操作が容易になり、またより一層体や頭を動かすことなく操作部を操作することができる。
【００２８】
また請求項３記載の発明にあっては、上記請求項１又は２記載の発明の効果に加えて、体感者は体格や着座姿勢に合わせて最も操作し易く且つ最も見易い角度で操作部を取付けることができ、これによってより一層体や頭を動かすことなく操作部を操作することができ、尚且つこの場合、操作部を体感者が手に持つことなく使用することができ便利である。
【図面の簡単な説明】
【図１】本発明の実施形態の一例を示すＡＶ機器鑑賞用椅子の斜視図である。
【図２】同上の肘掛け部を示す要部拡大図である。
【図３】図１の実施形態とは異なる実施形態を示す操作部トレイの説明図である。
【図４】同上の操作部トレイの下面図である。
【図５】同上のトレイ受け溝を示す平面視説明図である。
【符号の説明】
１　椅子本体
２　座部
３　肘掛け部
４　操作部
イ　取付け角度
【図１】
2004016515.tif 000003
【図２】
2004016515.tif 000004
【図３】
2004016515.tif 000005
【図４】
2004016515.tif 000006
【図５】
2004016515.tif 000007